(57)【特許請求の範囲】
【請求項１】
建物の開口部装置の開閉設定を提供するシミュレーションシステムであって、
シーンに応じた開口部装置の開閉設定を表示する、開口部装置の開閉設定のシミュレーションシステムであり、
少なくとも建築地の風の特徴を含む地理データと、
少なくとも有効開口面積を含む開口部装置データと、
少なくとも各階間取り図を含む設計データと、に基づき、
『室外風があるとき』と『室外風がないとき』の建物内の各気流のシミュレーションを行うものであり、
前記『室外風がないとき』の建物内の気流のシミュレーションは、
少なくとも、間取り図や立面図、開口部装置の配置及び開閉状態、室外の気象状況に基づいてシミュレーションされるものであり、
「開口位置の高低差を生かして換気する」といった「温度差換気」の観点からシミュレーションが実施される、
ことを特徴とする開口部装置の開閉設定のシミュレーションシステム。
【請求項２】
シミュレーションの結果は、
縦欄／横欄に期間、及び、
横欄／縦欄に時間帯、
を項目として表示し得るマトリクスを含み、
前記各項目内に、前記開口部装置の開閉設定のアイコン、及び／又は、エアコンの使用設定のアイコンが表示される、
ことを特徴とする請求項１に記載の開口部装置の開閉設定のシミュレーションシステム。
【請求項３】
間取り図上に、開口部装置の開閉設定のアイコン表示が配置される、
ことを特徴とする請求項１又は請求項２に記載の開口部装置の開閉設定のシミュレーションシステム。
【請求項４】
シミュレーションの結果として、
特定の条件によるシミュレーション結果である「現プラン」と、
別の条件によるシミュレーション結果である「提案プラン」と、が表示される、
ことを特徴とする請求項１乃至請求項３のいずれか一項に記載の開口部装置の開閉設定のシミュレーションシステム。
【発明の詳細な説明】
【技術分野】
【０００１】
本発明は、建物の開口部からの風の流入や換気などのシミュレーションに関する。
【背景技術】
【０００２】
従来、建物の開口部からの風の流入や換気などをコンピュータでシミュレーションする技術は知られており、これについて開示する文献も存在する（特許文献１参照。）。
【０００３】
特許文献１には、過去の気象データに基づく風関連データを使用して、間取り図に風の流れる経路（気流）を表示する技術が開示されている。また、当日の気象観測衛星の情報を取得して、その日一日の最適な換気方法をインターネットで情報提供するといったことも開示されている。
【先行技術文献】
【特許文献】
【０００４】
【特許文献１】特許第４５９７０２８号明細書
【発明の概要】
【発明が解決しようとする課題】
【０００５】
しかしながら、上述のように、従来のシミュレーションにおいて、「当日の気象観測衛星の情報を取得して、その日一日の最適な換気方法をインターネットで情報提供する」という技術も存在するが、「特定の日時について、特定の窓の開閉を行う」ということとなり、住まい手にとっては、「まず日時を厳密に指定することからわずらわしく、設定が細かすぎて判り難い」、などといった印象を与えることが懸念され、改善の余地があったといえる。
【０００６】
考察するに、以上の問題は、与えられる情報に基づいてのみ、住まい手が受身的に窓を開閉する、いわゆる「受身的な開閉作業」となっていることが要因であると考えられる。つまり、仮に住まい手が意図的に窓を開閉をするのであれば、「受身的な開閉作業」と感じられることもなく、また、住まい手当人にとっても快適な環境を実現できる可能性が高い。
【０００７】
しかしながら、根拠もないままに、住まい手に自由に窓の開閉の設定をさせてしまうことは、シミュレーションによって最適に設計された窓の配置などを有効に活用できないことになってしまい、住まい手に対するシミュレーションの有効活用がなされないことになってしまう。
【０００８】
そこで、本発明の課題の一つは、快適な住空間を実現するための窓の開閉の設定などのシミュレーション結果をより判りやすく、有効に活用するための新規な技術を提案するものである。また、この新規な技術に基づいて設計された快適な建物を実現することである。
【課題を解決するための手段】
【０００９】
本発明の解決しようとする課題は以上の如くであり、次にこの課題を解決するための手段を説明する。
【００１０】
即ち、請求項１に記載のごとく、
建物の開口部装置の開閉設定を提供するシミュレーションシステムであって、
シーンに応じた開口部装置の開閉設定を表示する、開口部装置の開閉設定のシミュレーションシステムであり、
少なくとも建築地の風の特徴を含む地理データと、
少なくとも有効開口面積を含む開口部装置データと、
少なくとも各階間取り図を含む設計データと、に基づき、
『室外風があるとき』と『室外風がないとき』の建物内の各気流のシミュレーションを行うものであり、
前記『室外風がないとき』の建物内の気流のシミュレーションは、
少なくとも、間取り図や立面図、開口部装置の配置及び開閉状態、室外の気象状況に基づいてシミュレーションされるものであり、
「開口位置の高低差を生かして換気する」といった「温度差換気」の観点からシミュレーションが実施される、
ことを特徴とする開口部装置の開閉設定のシミュレーションシステムとする。
【００１１】
また、請求項２に記載のごとく、
シミュレーションの結果は、
縦欄／横欄に期間、及び、
横欄／縦欄に時間帯、
を項目として表示し得るマトリクスを含み、
前記各項目内に、前記開口部装置の開閉設定のアイコン、及び／又は、エアコンの使用設定のアイコンが表示される、こととするものである。
【００１２】
また、請求項３に記載のごとく、
間取り図上に、開口部装置の開閉設定のアイコン表示が配置される、こととするものである。
【００１３】
また、請求項４に記載のごとく、
シミュレーションの結果として、
特定の条件によるシミュレーション結果である「現プラン」と、
別の条件によるシミュレーション結果である「提案プラン」と、が表示される、こととするものである。
【発明の効果】
【００２１】
本発明によれば、快適な住空間を実現するための窓の開閉の設定などのシミュレーション結果をより判りやすく、有効に活用することが可能となる。
【図面の簡単な説明】
【００２２】
【図１】本発明を実施するシステム構成例について示す図。
【図２】記憶装置に記憶される各種データの詳細について示す図。
【図３】ＰＭＶの概念について示す図。
【図４】演算装置による処理とシステム構成の概念を示す図。
【図５】建築地の特徴シートについて示す図。
【図６】室外風があるときの気流（通風）のシミュレーションの出力結果例を示す図。
【図７】室外風がないときの気流（温度差換気）のシミュレーションの出力結果例を示す図。
【図８】就寝時の室外風がないときの気流（温度差換気）のシミュレーションの出力結果例を示す図。
【図９】提案プランの出力結果例を示す図。
【図１０】対比表示シートの出力結果例を示す図。
【図１１】対比表示シートの出力結果例の一部拡大図。
【図１２】第一のシミュレーション例の演算フローについて示す図。
【図１３】室外風があるときの気流（通風）のシミュレーションの出力結果例を示す図。
【図１４】昼の室外風がないときの気流（温度差換気）のシミュレーションの出力結果例を示す図。
【図１５】就眠時の室外風がないときの気流（温度差換気）のシミュレーションの出力結果例を示す図。
【図１６】第二のシミュレーション例の演算フローについて示す図。
【発明を実施するための形態】
【００２３】
＜システム構成例＞
図１に本発明を実施するためのシステム構成の一例について示す。
このシステムは、周知のコンピュータネットワークシステムにおいてソフトウェアを稼動させ、人間が所定の条件設定を行うことで、所望のシミュレーションを可能とするものである。
【００２４】
図１に示すごとく、コンピュータ１１、ディスプレイ１２、マウス１３、キーボード１４、プリンタ１５などにてクライアントシステム１０が構成される。
このクライアントシステム１０は、ネットワーク２０を介して基幹サーバー３０に接続される。
また、ネットワーク２０には、気象情報が蓄積される気象情報サーバー５０が接続される。
【００２５】
また、コンピュータ１１には、記憶装置１００と、演算装置１２０が設けられている。
記憶装置１００は、以下のデータが記憶されて構成される。
・間取り図などの設計情報を含む設計データ１０１
・開口部装置の情報を含む開口部装置データ１０２
・快適性指標の情報を含む快適性指標データ１０３
・期間の情報を含む期間データ１０４
・時間帯の情報を含む時間帯データ１０５
・シミュレーション結果を対比可能に表示するための対比表示データ１０６
・各種アイコンを含むアイコンデータ１０７
・建物が建設される場所や地形などの地理情報を含む地理データ１０８
・建築地の特徴を表示するための建築地表示データ１０９
・各シミュレーションの出力の様式を含む出力様式データ１１０
・特定の気象状況の情報を含む特定気象データ１１１
・比較対象となる条件設定を含む比較対象データ１１２
・シーンを特定するための情報を含むシーン特定データ１１３
【００２６】
演算装置１２０は、以下の手段を含んで構成される。
・設計データ取得手段１２１
・開口部装置データ取得手段１２２
・快適性指標データ取得手段１２３
・期間データ取得手段１２４
・時間帯データ取得手段１２５
・対比表示データ取得手段１２６
・アイコンデータ取得手段１２７
・地理データ取得手段１２８
・建築地表示データ取得手段１２９
・出力様式データ取得手段１３０
・特定気象データ取得手段１３１
・比較対象データ取得手段１３２
・シーン特定データ取得手段１３３
・気象データ取得手段１３４
・設計処理手段１３５
・快適性判定手段１３６
・シミュレーション実行手段１４０
・シミュレーション結果出力手段１４１
・シミュレーション条件認識手段１４２
【００２７】
また、図１に示すごとく、気象情報サーバー５０には、過去、現在、未来（気象予測）などの気象データ１５１が記憶される。気象データ１５１のソース（情報源）については特に限定されるものではないが、例えば、株式会社気象データシステムにて提供される「拡張アメダス気象データ」を利用することが考えられる。なお、この気象データ１５１は、後述するシーンを特定するための要素の一つである。
【００２８】
図２に、記憶装置１００に記憶される各種データの詳細について示す。
間取り図などの設計情報を含む設計データ１０１には、建物コード番号、建物名、配置図、各階間取り図、立面図、などが含まれる。
【００２９】
また、図２に示すごとく、開口部装置の情報を含む開口部装置データ１０２には、開口部装置コード番号、製品名、種別、寸法、有効開口面積、などが含まれる。なお、種別には、引違い窓、片引き窓、上下スライド窓、片上げ下げ窓、縦滑り出し窓、外開き窓、ドレープ窓、横滑り出し窓、並行突出し窓、など各種の形態の窓が含まれる。また、窓のほか、シャッター、扉、などの各種開口部装置についても、開口部装置データ１０２に記憶される。
【００３０】
また、図２に示すごとく、快適性指標の情報を含む快適性指標データ１０３には、快適性指標用語、快適性指標数値、快適性指標定義、などが含まれる。ここで、快適性指標用語は快適性を観念で表現するための用語であり、耐え難い、寒い、少し寒い、丁度よい、少し暑い、暑い、耐え難い、などである。また、快適性指標数値は快適性を数値で表現するための数値であり、例えば、快適性指標用語と対応して、耐え難い（−３）、寒い（−２）、少し寒い（−１）、丁度よい（０）、少し暑い（＋１）、暑い（＋２）、耐え難い（＋３）、というものである。快適性指標定義は、快適性指標用語と快適性指標数値を対応付けるためのものである。
【００３１】
また、図３に示すごとく、快適性指標データ１０３については、ＩＳＯ７７３０で規格されているＰＭＶ（Ｐｒｅｄｅｃｔｅｄ  Ｍｅａｎ  Ｖｏｔｅ）に準ずることとしてもよい。このＰＭＶは、「人間がその時暖かいと感じるか、寒いと感じるかを−３〜＋３の７段階で表す」ものであり、図３は、このＰＭＶの概念について示すものである。
【００３２】
また、図２に示すごとく、期間の情報を含む期間データ１０４には、６月、７月、８月、９月、といった月の区切りで期間を定義づけるデータが含まれる。このほかに、春、初夏、夏、晩夏、初秋、秋などの季節の区切りで期間を定義づけるデータや、６月第１週、６月第２週、或いは、７月上旬、７月中旬、など、より細かい区切りで期間を定義づけるデータが含まれてもよい。なお、この期間データ１０４は、後述するシーンを特定するための要素の一つである。
【００３３】
また、図２に示すごとく、時間帯の情報を含む時間帯データ１０５には、朝、昼、夜、就寝時、といった一日の大きな時間の区切りで時間帯を定義づけるデータが含まれる。このほかに、７時〜１１時、１１時〜１９時、１９時〜２３時、２３時〜７時、などの具体的な時間の区切りで時間帯を定義づけるデータが含まれてもよい。なお、この時間帯データ１０５は、後述するシーンを特定するための要素の一つである。
【００３４】
また、図２に示すごとく、シミュレーション結果を対比可能に表示するための対比表示データ１０６には、アイコンや、数値や、図や、説明などを規定の位置に配置するための様式であって、少なくとも二つのシミュレーション結果を同時に表示するための様式のデータなどが含まれる。具体的には、例えば、図１０に示されるデータシートの形態にて表示され得るものであり、顔アイコン２０７ａ、数値２０６ａ、図形２０６ｂ、説明２０６ｃ、が対比表示データ１０６の様式に基づいて所定の位置に配置されるようになっている。
【００３５】
また、図２に示すごとく、各種アイコンを含むアイコンデータ１０７は、例えば、図１０に示す快適性を顔の表情で表現する表示である顔アイコン２０７ａや「エアコン」のアイコン２０７ｅ、図１３に示す開口部装置の開放状態を示す開放アイコン（室外風有）２０７ｘなどを含む。また、本実施例では、図１０の凡例に示されるように、快適、許容範囲、範囲外、の３つの状態を表情と色の異なる顔アイコン２０７ａ〜２０７ｃで示すこととしている。また、このほか、図７に示す流れ方向アイコン２０７ｇ（２階へ）・２０７ｈ（１階より）・２０７ｊ（ロフト階へ）・２０７ｋ（２階より）などの各種アイコンがアイコンデータ１０７に含まれる。
【００３６】
また、図２に示すごとく、建物が建設される場所や地形などの地理情報を含む地理データ１０８は、市町村名、経度、緯度、標高、周囲環境、航空写真（地図）、建築地の風の特徴、風配図などが含まれる。なお、建築地の風の特徴、風配図は、気象情報サーバー５０（図１）から取得されるものであってもよい。
【００３７】
また、図２に示すごとく、建築地の特徴を表示するための建築地表示データ１０９には、建築地の地図や、配置図や、建築地の風の特徴や、風配図、などを規定の位置に配置するための様式のデータなどが含まれる。具体的には、例えば、図５に示される図表の形態にて表示され得るものであり、航空写真（地図）２０９ａ、配置図２０９ｂ、風配図２０９ｄが建築地表示データ１０９の様式に基づいて所定の位置に配置されるようになっている。
【００３８】
また、図２に示すごとく、各シミュレーションの出力の様式を含む出力様式データ１１０には、シミュレーション結果として出力される様式のデータが含まれる。具体的には、例えば、図５に示される特徴シート、図６乃至図８に示されるシミュレーション結果、図９に示される提案プラン、図１０に示される対応表示シート、図１３乃至図１５に示されるシミュレーション結果、をそれぞれ表示するための様式を規定するデータが含まれる。
【００３９】
また、図２に示すごとく、特定の気象状況の情報を含む特定気象データ１１１には、実際の気象データとは異なる気象状況を特定するためのデータなどが含まれる。具体的には、例えば、ある期間、時間帯において実際に観測された気象データでは、「気温２８度、湿度７０％、風速１ｍ〜２ｍの南風（平均値）」であるところを、「気温２８度、湿度７０％、風速０ｍ（平均値）」といった任意の設定（この例では、風速を任意に設定）を可能とするためのデータである。なお、この特定気象データ１１１は、後述するシーンを特定するための要素の一つである。
【００４０】
また、図２に示すごとく、比較対象となる条件設定を含む比較対象データ１１２には、建物のいわゆる「規定のプラン」（基本設計）や比較対照となるプラン（設計）を実現するための各種条件などが含まれている。この「規定のプラン」は、後述する各種のシミュレーションにて検討する「提案プラン」の比較対象となるものである。また、シミュレーションは、検討を繰り返し行うことが想定されるものであるため、各シミュレーションの結果を参照する必要が生じることになる。このため、各シミュレーションにて指定される各種条件の組み合わせは、属性情報（ＩＤ番号など）とともに比較対象データ１１２に記憶されることとしている。
【００４１】
これにより、後のシミュレーションにおける条件設定においては、属性情報を指定することで、過去に行ったシミュレーションの条件設定の組み合わせが一括して取得できることとなる。また、比較対象データ１１２には、属性情報に加え、快適性指標の演算結果やシミュレーションの演算結果の情報が記憶されることで、快適性指標やシミュレーションの再計算の時間を短縮、或いは、省くことが可能となる。
【００４２】
また、図２に示すごとく、シーンを特定するための情報を含むシーン特定データ１１３には、期間、時間帯、気象状況（気象条件）などの各要素の組み合わせにて定義されるシーンの情報が含まれている。
ここでいうシーンについては、例えば、以下の表にて説明されるようなものであり、例えば、シーン６Aにおいては、図６に示されるような室外風があるときの気流（通風）のシミュレーションが行われることが想定される。また、表１のようなテーブルデータとすることで、後述する各種条件設定の際には、番号などの識別情報にてシーンを特定するといったことが可能となる。
【００４３】
【表１】
0005875170.tif 000002
【００４４】
以上に説明した各種データを、図１に示す演算装置１２０により演算処理することにより、後述する各種のシミュレーション結果などが出力されるものである。具体的な処理フローについては、後述する各種のシミュレーションを実施する際のフローを用いて説明する。
【００４５】
また、図４は、図１に示す演算装置１２０による処理とシステム構成の概念を示す図である。なお、これらの処理やシステム構成は、実際にはプログラムによって実現されるものであるが、シミュレーションにおけるインプット・アウトプットを明確にするために、ブロック図にて概念を説明するものである。
【００４６】
図４においては、図１に示す各種データ取得手段１２１〜１３４により、それぞれ、各種データ１０１〜１１３が取得されることを示している。
また、シミュレーション実行手段１４０により、シミュレーションが実行されて、シミュレーション結果出力手段１４２により、演算結果が出力されることを示している。出力されるものは、具体的には、後述する図５乃至図１０などに示されるものである。
【００４７】
また、シミュレーション条件認識手段１４３により、シミュレーションを行うための条件が適宜認識されることになる。なお、条件の設定は、上述したキーボード１４（図１）などを用いて行われる。
【００４８】
また、設計処理手段１３５により、ディスプレイ１２（図１）に表示される間取り図や立面図などに各種開口部装置をマニュアル操作で配置したり、その配置を変更したりすることや、間取りを設計・変更したりすることや、間取り図や立面図を作成することや、作成された間取り図や立面図に説明を記載するなど、いわゆる設計作業を実施することが可能となっている。なお、この設計作業の際には、上述したマウス１３、キーボード１４（図１）などを用いて行われる。
【００４９】
また、以上に説明した各種データや各種手段は、図１に示すクライアントシステム１０において記憶、処理されることとするほか、基幹サーバー３０において記憶、処理される、いわゆるＡＳＰ型で実施されることとしてもよい。
【００５０】
次に、上記の各種データや各種手段を用いて行うシミュレーションについて、事例を用いて説明する。
【００５１】
＜第一のシミュレーション例：ビルダー向け建物開口部設計シミュレーション＞
まず、第一のシミュレーション例として、「ビルダー向け建物開口部設計シミュレーション」について説明する。このシミュレーションでは、ビルダーに対する情報の提供を目的とするものである。
【００５２】
例えば、指定された開口部装置の配置に基づいて、室内の気流（経路、風量）をシミュレーションするとともに、さらに、各シミュレーション結果を対比表示することで、その対比結果を評価し、ビルダーの設計支援を行うものである。また、評価においては、快適性指標を用いることで、シミュレーション結果をビルダーにとってより判りやすく、有効に活用してもらうこと実現するものである。
【００５３】
また、この第一のシミュレーションは、住宅設備メーカーがクライアントシステム１０（図１）を用いてやビルダーに提供することのほか、ビルダー側の情報端末（パソコンや携帯電話など）においてクライアントシステム１０（図１）を用いた場合と同様の操作が、ビルダー自身によって行われることが考えられる。
【００５４】
また、以下に説明される第一のシミュレーション例では、以下の各図に示されるものが出力される。
・図５に示される建築地の特徴シート
・図６に示される室外風があるときの気流（通風）のシミュレーション
・図７に示される昼の室外風がないときの気流（温度差換気）のシミュレーション
・図８に示される就寝時の室外風がないときの気流（温度差換気）のシミュレーション
・図９に示される提案プラン
・図１０に示される対比表示シート
【００５５】
シミュレーションの実施の一例を図１２に示すフロー図を用いて説明する。なお、以下で使用する用語の符号は、図１及び図４を適宜参照されたい。
まず、クライアントシステム１０においては、ディスプレイ１２に条件設定画面が表示され、キーボード１４などを用いて各種条件の設定（ステップＳ０１）が行われる。
【００５６】
ここで設定される各種条件は、各種データ１０１〜１１３に基づいて選択されるものであってもよく、また、適宜入力されて各種データに追加的に登録されるものであってもよい。例えば、ある建物について間取りや開口部装置の配置の設計をシミュレーションする場合において、既に設計データ１０１に登録されている間取りや開口部装置の配置から選択をすることや、新たな設計を追加的に入力するものであってもよい。
【００５７】
また、例えば、特定の期間、時間帯を設定しつつ、設定された期間、時間帯に対応する気象データを参照する設定とすることや、特定の期間、時間帯を設定しつつも、特定の気象状況（室外環境）を任意に設定する（例えば、風の有無）こととしてもよい。また、上述のシーンから条件を設定してもよく、例えば、表１に示すシーン６Ａのみシミュレーションを実行する、或いは、全てのシーンについてシミュレーション実行する、といった設定も行うことが可能である。
【００５８】
また、シミュレーションの出力形態なども設定される。ビルダーに対する情報の提供を目的とする本シミュレーションにおいては、図５乃至図１０に示される各種出力の様式が設定される。
【００５９】
また、ステップＳ０１の条件設定においては、今回の条件設定による優位性を評価にするために、比較対象となる設計が設定される。つまり、例えば、いわゆる「規定のプラン」（基本設計）を比較対象とする場合には、「規定のプラン」に対応する各種条件が設定され、或いは、過去にシミュレーションで検討したプランに対応する各種条件が設定される（上述した属性情報の指定）。
【００６０】
次に、ステップＳ０１において設定された各種条件が、シミュレーション条件認識手段１４３によって認識される（ステップＳ０２）。これにより、シミュレーションに必要な条件（建物、間取り図、立面図、開口部装置の配置、開口部装置の開閉状態、シーンなど）がクライアントシステム１０にて認識され、特定の建物について、特定の期間、時間帯における建物室内の気流や快適性のシミュレーションなどが実行され得る状態となる。
【００６１】
次に、シミュレーション実行手段１４０は、ステップＳ０１において設定された各種条件に基づいて、図５に示す建築地の特徴シートを作成するための処理を行う（ステップＳ０３）。
【００６２】
具体的には、ステップＳ０１において設定された建築地に対応する航空写真（地図）２０９ａ、配置図２０９ｂ、風配図２０９ｄを、地理データ取得手段１２８（地理データ１０８）や気象データ取得手段１３４（１５１）によって取得するとともに、取得された情報を建築地表示データ取得手段１３０にて取得される建築地表示データ１０９上の指定の箇所に表示可能な状態とする。
【００６３】
次に、シミュレーション実行手段１４０は、ステップＳ０１において設定された各種条件に基づいて、図６に示される室外風があるときの気流（通風）のシミュレーションを行う（ステップＳ０４）。
【００６４】
具体的には、設定された間取り図に対し、矢印状の気流Ｋ１・Ｋ２・・・を周知のシミュレーション技術によって演算するとともに、間取り図上に表示可能とするための処理を行う。また、各気流Ｋ１・Ｋ２は、設定された間取り図や立面図、開口部装置の配置及び開閉状態、室外の気象状況などに基づいて演算されるものであり、設計データ１０１、開口部装置データ１０２、期間データ１０４、地理データ１０８、気象データ１５１が適宜参照される。また、このシミュレーションにおいては、特に室外風（風の流れ）があることが条件として設定される。なお、シミュレーションにおける演算処理の方法については、特に限定されるものではない（以降に説明するシミュレーションにおいても同様である。）。
【００６５】
次に、シミュレーション実行手段１４０は、ステップＳ０１において設定された各種条件に基づいて、図７に示される昼の室外風がないときの気流（温度差換気）のシミュレーションを行う（ステップＳ０５）。
【００６６】
具体的には、設定された間取り図に対し、矢印状の気流Ｋ１・Ｋ２・・・を周知のシミュレーション技術によって演算するとともに、間取り図上に表示可能とするための処理を行う。また、各気流Ｋ１・Ｋ２は、設定された間取り図や立面図、開口部装置の配置及び開閉状態、室外の気象状況などに基づいて演算されるものであり、設計データ１０１、開口部装置データ１０２、期間データ１０４、地理データ１０８、気象データ１５１が適宜参照される。また、このシミュレーションにおいては、特に昼間の時間帯（例えば、１１時〜１９時）に室外風がないことが条件として設定される。
【００６７】
次に、シミュレーション実行手段１４０は、ステップＳ０１において設定された各種条件に基づいて、図８に示される就寝時の室外風がないときの気流（温度差換気）のシミュレーションを行う（ステップＳ０６）。
【００６８】
具体的には、設定された間取り図に対し、矢印状の気流Ｋ１・Ｋ２・・・を周知のシミュレーション技術によって演算するとともに、間取り図上に表示可能とするための処理を行う。また、各気流Ｋ１・Ｋ２は、設定された間取り図や立面図、開口部装置の配置及び開閉状態、室外の気象状況などに基づいて演算されるものであり、設計データ１０１、開口部装置データ１０２、期間データ１０４、地理データ１０８、気象データ１５１が適宜参照される。また、このシミュレーションにおいては、特に就寝時の時間帯（例えば、２３時〜７時）に室外風がないことが条件として設定される。
【００６９】
次に、シミュレーション実行手段１４０は、ステップＳ０１において設定された各種条件に基づいて、図９に示される提案プランを作成するための処理を行う（ステップＳ０７）。
【００７０】
具体的には、選定された開口部装置を、北立面図、南立面図、西立面図、東立面図に表示可能とするための処理を行う。この表示は、設定された立面図、開口部装置の配置などに基づいて演算されるものであり、設計データ１０１、開口部装置データ１０２が適宜参照される。
【００７１】
次に、シミュレーション実行手段１４０は、ステップＳ０１において設定された各種条件に基づいて、図１０に示される対比表示シートを作成するための処理を行う（ステップＳ０８）。
【００７２】
具体的には、快適性判定手段１３４により、ステップＳ０１において設定された各種条件に対応する快適性指標を演算により求めるとともに、演算結果を対比表示シートにおける「提案プラン表示エリアＨ２」に表示可能とするための処理を行う。
【００７３】
本実施例では、図３に示されるＰＭＶに準じた快適性指標を求めることとしており、ＰＭＶの数値（−３〜＋３）が演算により求められる。このＰＭＶの数値の演算は、ステップＳ０１において設定された各種条件や、ステップＳ０４・Ｓ０５・Ｓ０６においてそれぞれシミュレーションされた気流の情報を参照してなされるものであり、周知の技術によって演算されることができる。具体的な演算処理の方法については、特に限定されるものではない。
【００７４】
また、本実施例では、ＰＭＶの数値は、図１０に示すごとく、室外風がある場合、室外風がない場合、それぞれの場合における各期間（６月、７月・・・）、各時間帯（朝、昼、夜、就寝時）の要素の組み合わせによって定義される各シーンについて求められ、数値に対応する顔アイコン２０７ａ・２０７ｂ・２０７ｃが対比表示シートに表示されることとしている。また、外気温が所定の温度以上になるときは、「エアコン」のアイコン２０７ｅを表示されることとしている。
【００７５】
また、シミュレーション実行手段１４０は、図１０に示される対比表示シートにおける「現プラン表示エリアＨ１」に、規定の設計に対応する条件設定をした場合の快適性指標、或いは、一回前（あるいは特定の回数前（過去のシミュレーション））に行った快適性指標の評価結果を対比表示可能な状態とする。
【００７６】
具体的には、比較対象データ取得手段１３２により、比較対象データ１１２を取得し、取得した条件設定に対応する快適性指標の評価結果を「現プラン表示エリアＨ１」に表示可能とするための処理を行う。
【００７７】
また、シミュレーション実行手段１４０は、次回以降のシミュレーションにおいて比較対象として利用するために、今回のシミュレーションの条件設定を比較対象データ１１２に記憶する（ステップＳ０９）。
【００７８】
これにより、次回以降のシミュレーションにおいて、今回のシミュレーションの条件設定を取得することができる。なお、上述したように、各シミュレーションの条件設定の組み合わせは、属性情報（ＩＤ番号など）とともに比較対象データ１１２に記憶され、後のシミュレーションなどにおいては、属性情報の指定により各条件設定の組み合わせが一括して取得される。また、比較対象データ１１２には、快適性指標の演算結果やシミュレーションの演算結果の情報を属性情報とともに記憶させることで、例えば、ステップＳ０８における演算時間の短縮を図ることができる。
【００７９】
また、以上のようにシミュレーション実行手段１４０によるシミュレーションが行われ、シミュレーション結果は、シミュレーション結果出力手段１４１によりディスプレイ１２上に表示させることや、プリンタ１５から印刷出力させることができる（ステップＳ１０）。
【００８０】
以上の一連の処理（ステップＳ０１〜Ｓ１０）により、図５乃至図１０に示される各種の出力を得ることができる。この一連の処理を任意に繰り返す、つまりは、各種条件設定によるシミュレーションを行い、その出力を比較検討することで、最適な条件設定の選定などをすることが可能となる。
【００８１】
また、図５乃至図１０に示される各出力について説明すると、図５に示される「建築地の特徴シート」においては、航空写真（地図）２０９ａ、配置図２０９ｂ、風配図２０９ｄが表示され、ビルダーは、建築地の特徴を視覚的に理解でき、また、数値に基づいた検討・評価をできることになる。なお、説明文２０９ｅについては、操作者の任意入力により表示可能とすることや、予め記憶装置に記憶された文章を気象データと照らし合わせて自動表示させることなどが考えられる。
【００８２】
また、図６乃至図８に示されるシミュレーション結果では、室内を流れる気流Ｋ１・Ｋ２・・・が間取り図上に表示され、これにより、ビルダーにおいては、室内を流れる気流の特徴を視覚的に理解可能となる。また、図６に示す考察文２６１や提案文２６２などの説明については、操作者の任意入力により表示可能とすることが考えられる。また、実際に配置する開口部装置のアイコン２６３を任意に表示可能とすることも考えられる。
【００８３】
ここで、図６は室外風があるとき、図７は昼の室外風がないとき、図８は就寝時の室外風がないとき、における気流をそれぞれシミュレーションしたものであり、室外風がある場合、室外風がない場合、それぞれの場合における各期間（６月、７月・・・）、各時間帯（朝、昼、夜、就寝時）の要素の組み合わせによって定義される各シーンについて、ビルダーは、気流の検討・評価をできることになる。
【００８４】
また、以上の実施例では、「室外風があるとき（図６）」と、「室外風がないとき（図７・図８）」のそれぞれにおいてシミュレーションをすることとしている。
まず、「室外風があるとき（図６）」においては、「室外風を室内に通過させる換気を行う」といった「室外風を有効利用した通風、採風」の観点からシミュレーションを実施することができる。そして、この通風などの観点をビルダーにとって理解されやすくするために、快適性を向上させる原理に沿った提案文２６２（「採風モデルに変更すると通風効果が高まります。」）が表示される。
【００８５】
なお、この説明文２６２は、ステップＳ０４の演算処理において自動的に表示設定される、或いは、操作者によって適宜入力されるなど、いずれの形態であってもよい。また、図６に示される出力様式に、通風のキーワードＶ６がステップＳ０４の演算処理において自動的に表示設定される、或いは、図６の様式のデータに予め記憶される、或いは、操作者によって適宜入力されるなどすることにより、ビルダーに通風の概念により快適性が向上されることを確実に把握させることができる。
【００８６】
一方、「室外風がないとき（図７・図８）」においては、「開口位置の高低差を生かして換気する」といった「温度差換気」の観点からシミュレーションを実施することができる。また、図７に示すシミュレーションにおいては、昼間の時間帯であるため、基本的に各階の開口部装置の効果的な開放による快適性向上のためのシミュレーションがなされる。一方、図８に示すシミュレーションにおいては、夜間の時間帯であるため、防犯や静音性の確保も踏まえ、二階やロフト階の部屋（寝室）の開口部装置の効果的な開放による快適性向上のためのシミュレーションがなされる。
【００８７】
そして、この温度差換気の観点をビルダーにとって理解されやすくするために、図７では、快適性を向上させる原理の説明文２６４Ａ（「１階の空気が吹抜（階段室）を通って２階へ上がります。」）、説明文献２６４Ｂ（「２回の空気が吹抜（階段室）を通ってロフト階へ上がります。」）が表示されることとしている。また、図８では、快適性を向上させる原理に沿った提案文２６４Ｃ（「腰窓・地窓を設置することで、就寝時も温度差換気が可能となります。」）が表示される。また、温度差換気の観点をより明確にするために、流れ方向アイコン２０７ｇ（２階へ）・２０７ｈ（１階より）・２０７ｊ（ロフト階へ）・２０７ｋ（２階より）が、間取り図上に表示される。
【００８８】
なお、これら説明文２６４Ａ・２６４Ｂ、提案文２４６Ｃ、流れ方向アイコンは、それぞれ、ステップＳ０５・Ｓ０６の演算処理において自動的に表示設定される、或いは、図７・図８の様式のデータに予め記憶される、或いは、操作者によって適宜入力されるなど、いずれの形態であってもよい。また、図７・図８に示される出力様式に、温度差換気のキーワードＶ７・Ｖ８がステップＳ０５・Ｓ０６の演算処理において自動的に表示設定される、或いは、図７・図８の様式のデータに予め記憶される、或いは、操作者によって適宜入力されるなどすることにより、ビルダーに温度差換気の概念により快適性が向上されることを確実に把握させることができる。
【００８９】
また、図９に示される「提案プラン」では、ビルダーは、北立面図、南立面図、西立面図、東立面図において、開口部装置の配置を視覚的に理解でき、また、その配置を検討・評価をできることになる。また、この「提案プラン」には、開口部装置の配置や設置についての提案文２９１や実際に配置する開口部装置のアイコン２６３などを配置することが考えられ、これらの提案文２９１やアイコン２６３は、ステップＳ０７の演算処理において自動的に表示設定される、或いは、図９の様式のデータに予め記憶される、或いは、操作者によって適宜入力されるなど、いずれの形態であってもよい。
【００９０】
また、図１０に示される「対比表示シート」では、「現プラン表示エリアＨ１」と「提案プラン表示エリアＨ２」において、各期間と時間帯の組み合わせにおける快適性指標が、それぞれ顔アイコン２０７ａ・２０７ｂ・２０７ｃによって表示される。これにより、ビルダーにおいては、各プラン（上述のステップＳ０１で設定される条件設定）についての快適性を視覚的に理解でき、また、その配置を検討・評価をできることになる。特に、人の表情を表現する顔アイコンを用いることで、快適範囲、許容範囲、許容範囲外といったことを瞬時にイメージすることが可能となる。
【００９１】
また、図１０に示される「対比表示シート」では、「現プラン表示エリアＨ１」と「提案プラン表示エリアＨ２」において、縦欄に期間（月、時期、季節など）、横欄に時間帯（朝、昼、夜、就寝時など）を項目として表示し得るマトリクス（表形式）にて表示され、各項目内に、快適性指標が表示されることとしている。なお、図１１に「対比表示シート」の一部拡大図を示す。
【００９２】
このようにマトリクスにて表示されることにより、期間と時間帯の各シーンごとにおける快適性指標を判りやすく表示することが可能となる。なお、縦欄と横欄の表示の関係は逆であってもよい。
【００９３】
また、図１０に示される「対比表示シート」では、「現プラン表示エリアＨ１」と「提案プラン表示エリアＨ２」が上下に対比表示されるため、「どちらのプランが快適であるか？」といったことを比較検討することができる。
【００９４】
例えば、図１０の例で風があるときの朝の時間帯については、現プラン表示エリアＨ１においては、７月下旬、８月上旬以外は全て「範囲外」を示す顔アイコン２０７ｃが表示されるが、提案プラン表示エリアＨ２においては、「快適範囲」或いは「許容範囲」のいずれかとなり、提案プランにおいて、より快適な環境が得られということを容易に確認することができる。また、快適性指標においては、ＩＳＯ規格のＰＭＶに準ずることしているため、評価においては客観性が担保されるため、ビルダーは信頼性の高い情報として活用することができる。
【００９５】
また、図１０に示される「対比表示シート」では、風があるときにおける通風のシミュレーション、風がないときにおける温度差換気のシミュレーションが並列に表示されるため、通風と温度差換気の両方の状況（シーン）を一度に視認することが可能となる。このように並列に表示することによれば、通風と温度差換気の比較を行うことができ、状況（シーン）の違いを意識した上で、シミュレーションの評価を行うことができる。なお、もちろん、通風と温度差換気のシミュレーション結果を個別のシートに表示することとしてもよい。
【００９６】
また、図１０に示される「対比表示シート」では、顔アイコンに加え、各シーンにおける平均温度の表示が併記され、この平均温度を参照することも可能としている。また、外気温度が高すぎるため、いくら外気を取り入れても快適にならない場合には、顔アイコンに代えて「エアコン」のアイコン２０７ｅを表示する。これにより、ビルダーは、「あるシーンにおいてはエアコンによる空調が必要」ということを検討・評価することができる。
【００９７】
また、図１０においては、「現プラン表示エリアＨ１」において、特定の条件によるシミュレーション結果として、前情報（「Ｂｅｆｏｒｅ」／「現プラン」）として表示し、「提案プラン表示エリアＨ２」において、別の条件によるシミュレーション結果として、変更情報（「Ａｆｔｅｒ」／「提案プラン」）として表示することとしている。
【００９８】
これにより、Ｂｅｆｏｒｅ／Ａｆｔｅｒを意識した見せ方、つまりは、検討の前後を意識した見せ方が可能となり、ビルダーは、判りやすい評価を行うことが可能となる。
【００９９】
さらに、このＢｅｆｏｒｅ／Ａｆｔｅｒを意識した見せ方、については、図１０の対比表示シートのほかに、図６〜図８に示す各シミュレーション結果の表示において適用してもよい。即ち、例えば、図６において、「現プラン」の場合の気流Ｋ１・Ｋ２・・・を「Ｂｅｆｏｒｅ」として赤色表示、「提案プラン」の場合の気流Ｋ１・Ｋ２・・・を「Ａｆｔｅｒ」として青色表示、にて併記し、両プランにおける気流Ｋ１・Ｋ２・・・の違いを色分けによって対比可能に表示することとなどが考えられる。
【０１００】
＜第二のシミュレーション例：住まい手向け換気シミュレーション＞
次に、第二のシミュレーション例として、「住まい手向け換気シミュレーション」について説明する。このシミュレーションは、実際に居住した際に実現される換気の状況を住まい手に対し提供することを目的とするものである。
【０１０１】
例えば、ビルダーの提案したプラン（設計）において開口部装置を開放した際に、どのような換気がなされ、快適性が実現されるか（期待されるか）、といったことを住まい手に提供するものである。これにより、住まい手においては、居住する前に換気の状況をイメージできるとともに、居住後には換気方法の指針として活用することができる。
【０１０２】
また、この第二のシミュレーションは、住宅設備メーカーやビルダーがクライアントシステム１０（図１）を用いて住まい手に提供することのほか、住まい手側の情報端末（パソコンや携帯電話など）においてクライアントシステム１０（図１）を用いた場合と同様の操作が、住まい手自身によって行われることが考えられる。
【０１０３】
また、以下に説明するステップＭ０１〜Ｍ０５の作業、及び、ステップＭ０６における快適性指標の演算については、上述した第一のシミュレーション例におけるステップＳ０１・Ｓ２・Ｓ４〜Ｓ６・Ｓ０８において行われる処理と同様である。このため、例えば、第一のシミュレーションと第二のシミュレーションを同時に行う場合においては、第二のシミュレーションにおいて、第一のシミュレーションの演算結果を取得することにより、快適性指標やシミュレーションの再計算の時間を短縮、或いは、省くことが可能としてもよい。また、逆に、第一のシミュレーションにおいて、第二のシミュレーションの演算結果を取得することとしてもよい。
【０１０４】
また、以下に説明する第二のシミュレーション例では、以下の各図に示されるものが出力される。
・図１３に示される室外風があるときの気流（通風）のシミュレーション
・図１４に示される昼の室外風がないときの気流（温度差換気）のシミュレーション
・図１５に示される就眠時の室外風がないときの気流（温度差換気）のシミュレーション
【０１０５】
シミュレーションの実施の一例を図１６に示すフロー図を用いて説明する。なお、以下で使用する用語の符号は、図１及び図４を適宜参照されたい。
まず、クライアントシステム１０においては、ディスプレイ１２に条件設定画面が表示され、キーボード１４などを用いて各種条件の設定（ステップＭ０１）が行われる。
【０１０６】
ここで設定される各種条件は、各種データ１０１〜１１２に基づいて選択されるものであってもよく、また、適宜入力されて各種データに追加的に登録されるものであってもよい。例えば、ある建物について間取りや開口部装置の配置の設計をシミュレーションする場合において、既に設計データ１０１に登録されている間取り、開口部装置の配置から選択をすることや、新たな設計を追加的に入力するものであってもよい。
【０１０７】
また、例えば、特定の期間、時間帯を設定し、設定された期間、時間帯に対応する気象データを参照する設定とすることや、特定の期間、時間帯を設定しつつも、特定の気象状況（室外環境）を任意に設定する（例えば、風の有無）こととしてもよい。また、上述のシーンから条件を設定してもよく、例えば、表１に示すシーン６Ａのみシミュレーションを実行する、或いは、全てのシーンについてシミュレーション実行する、といった設定も行うことが可能である。
【０１０８】
また、シミュレーションの出力形態なども設定される。住まい手に対する情報の提供を目的とする本シミュレーションにおいては、図１３乃至図１５に示される各種出力の様式が設定される。
【０１０９】
また、ステップＭ０１の条件設定においては、上述した第一のシミュレーションである「ビルダー向け建物開口部設計シミュレーション」において設定された各種設定を設定することとしてもよい。つまり、例えば、上述した属性情報（ＩＤ番号など）を指定するものである。
【０１１０】
次に、ステップＭ０１において設定された各種条件が、シミュレーション条件認識手段１４３によって認識される（ステップＭ０２）。これにより、シミュレーションに必要な条件（建物、間取り図、立面図、開口部装置の配置、開口部装置の開閉状態、期間など）がクライアントシステム１０にて認識され、特定の建物について、特定の期間、時間帯における建物室内の気流や快適性のシミュレーションなどが実行され得る状態となる。
【０１１１】
次に、シミュレーション実行手段１４０は、ステップＭ０１において設定された各種条件に基づいて、図１３に示される室外風があるときの気流（通風）のシミュレーションを行う（ステップＭ０３）。
【０１１２】
具体的には、設定された間取り図に対し、矢印状の気流Ｋ１・Ｋ２・・・を周知のシミュレーション技術によって演算するとともに、間取り図上に表示可能とするための処理を行う。また、開口部装置の開閉状態を判りやすく表現するために、開放される開口部装置の部位の近傍に、開放アイコン（室外風有）２０７ｘを表示可能とするための処理を行う。
【０１１３】
また、各気流Ｋ１・Ｋ２は、設定された間取り図や立面図、開口部装置の配置及び開閉状態、室外の気象状況などに基づいて演算されるものであり、設計データ１０１、開口部装置データ１０２、期間データ１０４、地理データ１０８、気象データ１５１、アイコンデータ１０７などが適宜参照される。また、このシミュレーションにおいては、特に室外風（風の流れ）があることが条件として設定される。
【０１１４】
次に、シミュレーション実行手段１４０は、ステップＭ０１において設定された各種条件に基づいて、図１４に示される昼の室外風がないときの気流（温度差換気）のシミュレーションを行う（ステップＭ０４）。
【０１１５】
具体的には、設定された間取り図に対し、矢印状の気流Ｋ１・Ｋ２・・・を周知のシミュレーション技術によって演算するとともに、間取り図上に表示可能とするための処理を行う。また、開口部装置の開閉状態を判りやすく表現するために、開放される開口部装置の部位の近傍に、開放アイコン（室外風無（昼））２０７ｙを表示可能とするための処理を行う。
【０１１６】
また、各気流Ｋ１・Ｋ２は、設定された間取り図や立面図、開口部装置の配置及び開閉状態、室外の気象状況などに基づいて演算されるものであり、設計データ１０１、開口部装置データ１０２、期間データ１０４、地理データ１０８、気象データ１５１、アイコンデータ１０７などが適宜参照される。また、このシミュレーションにおいては、特に昼間の時間帯（例えば、１１時〜１９時）に室外風がないことが条件として設定される。
【０１１７】
次に、シミュレーション実行手段１４０は、ステップＭ０１において設定された各種条件に基づいて、図１５に示される就寝時の室外風がないときの気流（温度差換気）のシミュレーションを行う（ステップＭ０５）。
【０１１８】
具体的には、設定された間取り図に対し、矢印状の気流Ｋ１・Ｋ２・・・を周知のシミュレーション技術によって演算するとともに、間取り図上に表示可能とするための処理を行う。また、開口部装置の開閉状態を判りやすく表現するために、開放される開口部装置の部位の近傍に、開放アイコン（室外風無（就寝時））２０７ｚを表示可能とするための処理を行う。
【０１１９】
また、各気流Ｋ１・Ｋ２は、設定された間取り図や立面図、開口部装置の配置及び開閉状態、室外の気象状況などに基づいて演算されるものであり、設計データ１０１、開口部装置データ１０２、期間データ１０４、地理データ１０８、気象データ１５１、アイコンデータ１０７などが適宜参照される。また、このシミュレーションにおいては、特に就寝時の時間帯（例えば、２３時〜７時）に室外風がないことが条件として設定される。
【０１２０】
次に、シミュレーション実行手段１４０は、ステップＭ０１において設定された各種条件に基づいて、図１３乃至図１５にある開閉目安表Ｎを表示可能とするための処理を行う（ステップＭ０６）。
【０１２１】
具体的には、快適性判定手段１３４により、ステップＭ０１において設定された各種条件に対応する快適性指標を演算により求めるとともに、演算結果に基づいたアイコンを開閉目安表Ｎに表示可能とするための処理を行う。この開閉目安表Ｎは、縦欄に期間、及び、横欄に時間帯、を項目として表示し得るマトリクスを含み、前記各項目内に、前記開口部装置の開閉設定が表示される、こととしている。なお、縦欄と横欄の項目は、逆であってもよい。
【０１２２】
本実施例では、図３に示されるＰＭＶに準じた快適性指標を求めることとしており、ＰＭＶの数値（−３〜＋３）が演算により求められる。このＰＭＶの数値の演算は、ステップＭ０１において設定された各種条件や、ステップＭ０３・Ｍ０４・Ｍ０５においてそれぞれシミュレーションされた気流の情報を参照してなされるものであり、具体的な演算処理の方法については、特に限定されるものではない。
【０１２３】
また、本実施例では、ＰＭＶの数値は、室外風がある場合、室外風がない場合、それぞれの場合における各期間（６月、７月・・・）、各時間帯（朝、昼、夜、就寝時）の要素の組み合わせによって定義される各シーンについて求められる。
【０１２４】
そして、快適性判定手段１３４は、ＰＭＶの数値を−１〜＋１の範囲内に実現されるシーンについては、開口部装置を開くことによって、気流の流れに快適性の向上が期待できるものとし、図１３の例では、開閉目安表Ｎにおいて開放アイコン（室外風有）２０７ｘを表示するものと判定する。
【０１２５】
一方で、外気温が所定の温度以上になるときは、開閉目安表Ｎにおいて「エアコン」のアイコン２０７ｅを表示するものと判定する。このようにして、開閉目安表Ｎの各シーンにおいて、開放アイコン（室外風有）２０７ｘや、「エアコン」のアイコン２０７ｅが表示され得る状態とする。
【０１２６】
また、以上のようにシミュレーション実行手段１４０によるシミュレーションが行われ、シミュレーション結果は、シミュレーション結果出力手段１４１によりディスプレイ１２上に表示させることや、プリンタ１５から印刷出力させることができる（ステップＭ０７）。
【０１２７】
以上の一連の処理（ステップＭ０１〜Ｍ０７）により、図１３乃至図１５に示される各種の出力を得ることができる。この一連の処理を任意に繰り返す、つまりは、各種条件設定によるシミュレーションを行い、その出力を比較検討することで、最適な条件設定の選定などをすることが可能となる。
【０１２８】
また、図１３乃至図１５に示されるシミュレーション結果では、室内を流れる気流Ｋ１・Ｋ２・・・が間取り図上に表示され、これにより、住まい手においては、室内を流れる気流の特徴を視覚的に理解可能となる。また、図１３に示す説明文２６５・２６６については、ステップＭ０３の演算処理において自動的に表示設定される、或いは、図１３の様式のデータに予め記憶される、或いは、操作者によって適宜入力されるなど、いずれの形態であってもよい。
【０１２９】
また、図１３は室外風があるとき、図１４は昼の室外風がないとき、図１５は就寝時の室外風がないとき、において、特定の開口部装置を開放した際における気流をそれぞれシミュレーションしたものであり、室外風がある場合、室外風がない場合、それぞれの場合における各期間（６月、７月・・・）、各時間帯（朝、昼、夜、就寝時）の要素の組み合わせによって定義される各シーンについて、住まい手は、気流の流れや開口部装置の開け方をイメージすることができる。具体的には、各シーンにおける開閉設定は、開閉目安表Ｎを参照することで、容易に把握することができる。
【０１３０】
例えば、図１３に示すごとく、室外風があって、期間＝６月、時間帯＝朝、の組み合わせからなるシーンでは、開放アイコン（室外風有）２０７ｘが表示されており、このシーンにおいては、開口部装置を開けると快適性の向上の効果が見込めることが把握できる。また、同様に、期間＝８月上旬、時間帯＝朝、の組み合わせからなるシーンでは、「エアコン」のアイコン２０７ｅが表示されており、このシーンにおいては、開口部装置を開けても効果が見込めず、エアコンなどを用いた空調が必要になることが把握できる。
【０１３１】
また、以上の実施例では、「室外風があるとき（図１３）」と、「室外風がないとき（図１４・図１５）」のそれぞれにおいてシミュレーションをすることとしている。
まず、「室外風があるとき（図１３）」においては、「室外風を室内に通過させる換気を行う」といった「室外風を有効利用した通風、採風」の観点からシミュレーションを実施することができる。
【０１３２】
そして、この通風などの観点を住まい手にとって理解されやすくするために、快適性を向上させる原理の説明文２６７（「通風とは・・・、風の入口と出口を開けることで、家の中を風が通り抜けます。」）が表示される。なお、この説明文２６７は、ステップＭ０３の演算処理において自動的に表示設定される、或いは、図１３の様式のデータに予め記憶される、或いは、操作者によって適宜入力されるなど、いずれの形態であってもよい。
【０１３３】
一方、「室外風がないとき（図１４・図１５）」においては、「開口位置の高低差を生かして換気する」といった「温度差換気」の観点からシミュレーションを実施することができる。また、図１４に示すシミュレーションにおいては、昼間の時間帯であるため、基本的に各階の開口部装置の効果的な開放による快適性向上のためのシミュレーションがなされる。
【０１３４】
また、図１５に示すシミュレーションにおいては、夜間の時間帯であるため、防犯や静音性の確保も踏まえ、二階やロフト階の部屋（寝室）の開口部装置の効果的な開放による快適性向上のためのシミュレーションがなされる。
【０１３５】
そして、この温度差換気の観点を住まい手にとって理解されやすくするために、図１４では、快適性を向上させる原理の説明文２６８（「温度差換気とは・・・、暖かい空気が上に上がる性質を利用した換気方法です。風が吹いていないときも換気できます。」）といった内容が表示され、図１５では、快適性を向上させる原理の説明文２６９（「温度差換気とは・・・、暖かい空気が上に上がる性質を利用した換気方法です。室内ドアを閉めたままで換気できます。」）が表示される。
【０１３６】
また、図１４に示すごとく、温度差換気の観点をより明確にするために、流れ方向アイコン２０７ｇ（２階へ）・２０７ｈ（１階より）・２０７ｊ（ロフト階へ）・２０７ｋ（２階より）が、間取り図上に表示される。なお、これら説明文２６８・２６９や流れ方向アイコンは、それぞれ、ステップＭ０４・Ｍ０５の演算処理において自動的に表示設定される、或いは、図１４・図１５の様式のデータに予め記憶される、或いは、操作者によって適宜入力されるなど、いずれの形態であってもよい。
【０１３７】
また、図１３乃至図１５に示すシミュレーション結果は、居住後における換気方法の指針として、住まい手に提供することができる。そして、住まい手においては、居住後において、各図のシミュレーション結果を参照し、各シーンに応じて開口部装置の開閉を設定することで、快適性の向上を図ることができる。また、シミュレーション結果は紙媒体で住まい手に居住前に提供されるほか、居住後に提供されることや、住まい手の所有するパソコンや携帯電話などにおいてオンラインで閲覧可能とすることなども考えられる。
【０１３８】
また、ここで特記すべきは、「シーン」という概念で、開口部装置の開閉設定や、快適性の目安を把握できることである。即ち、従来、「特定の日時についての特定の開口部装置の開閉設定」といった情報が提供される技術があったが、「シーンに応じた開口部装置の開閉設定」という情報を提供する概念は存在しないものであった。
【０１３９】
例えば、従来技術におけるシミュレーションの利用を想定した場合、住まい手は、シミュレーションの対象となる具体的な日時をシステムに認識させる必要があり、その日時の設定に対応する各開口部装置の開放の設定が得られるものであった。この場合、日時をいちいち指定する煩雑さや、細かな開放設定の指示が住まい手にとって面倒な印象を与えることが懸念される。
【０１４０】
これに対し、本実施例のシミュレーションの利用を想定すると、住まい手は、開閉目安表Ｎから対応するシーンのアイコンを参照することで、開口部装置の開放により快適性を向上できるか否かを把握することができる。つまり、開放アイコン（２０７ｘ（図１３）など）が表示されている場合には、開口部装置の開放による快適性の確保が期待でき、一方で、エアコンのアイコン２０７ｅが表示されている際には、開口部装置の開放による快適性の確保が難しいといったことを把握できることになる。
【０１４１】
これにより、まずは、開放するか否かを住まい手が主体的に判断しやすい状況とすることができる。例えば、「開放アイコンが表示されているから、開放して外気を取り入れよう！」という意思が生まれることが期待できる。
【０１４２】
また、説明文２６７（図１３）などが表示されることによって、開放による効果が期待できることを住まい手に理解させることができるため、住まい手は積極的に開口部装置を開けることが期待できる。つまり、住まい手が「積極的な開閉作業」をすることを期待することができる。
【０１４３】
さらに、住まい手による「積極的な開閉作業」の意思が生まれることによれば、間取り図に表示された開放アイコン（２０７ｘ（図１３）など）に基づいて開放をすることが期待され、住まい手の任意によるものではなく、シミュレーションによって最適に設計された窓の配置を有効に活用できることとなり、住まい手に対するシミュレーションの有効活用がなされることとなる。
【産業上の利用可能性】
【０１４４】
本発明に係るシミュレーションは、建物の通風や温度差換気に基づく快適性を評価するツールとして幅広く使用することができる。また、シミュレーションを活用することによって、シミュレーションされた快適性の評価を実現可能な建物を提供することが可能となる。
【符号の説明】
【０１４５】
１０    クライアントシステム
３０    基幹サーバー
５０    気象情報サーバー
１００  記憶装置
１２０  演算装置
Ｈ１    現プラン表示エリア
Ｈ２    提案プラン表示エリア
Ｎ    開閉目安表
【図１】
0005875170.tif 000003
【図２】
0005875170.tif 000004
【図３】
0005875170.tif 000005
【図４】
0005875170.tif 000006
【図５】
0005875170.tif 000007
【図６】
0005875170.tif 000008
【図７】
0005875170.tif 000009
【図８】
0005875170.tif 000010
【図９】
0005875170.tif 000011
【図１０】
0005875170.tif 000012
【図１１】
0005875170.tif 000013
【図１２】
0005875170.tif 000014
【図１３】
0005875170.tif 000015
【図１４】
0005875170.tif 000016
【図１５】
0005875170.tif 000017
【図１６】
0005875170.tif 000018